(57)【要約】【課題】撮影画像内の物体に対する物体特有の画像処理の実行をより効果的に制御することができること。【解決手段】撮像装置１は、撮像部１６と、処理対象領域特定部５３と、美肌／美白処理部５５と、を備える。処理対象領域特定部５３は、撮像部１６により撮像された撮影画像内における所定の被写体に対応する画像領域を、当該被写体に関する第１の観点とは異なる第２の観点の特徴情報を用いて、撮影画像内における画像領域を特定する。美肌／美白処理部５５は、処理対象領域特定部５３により特定された画像領域を対象として所定の被写体に特有の画像処理を実行する。【選択図】図２
2016127431.tif 000002
【特許請求の範囲】
【請求項１】
撮像手段と、
前記撮像手段により撮像された撮影画像内における所定の被写体に対応する画像領域を、当該被写体に関する第１の観点の特徴情報を用いて特定する第１の領域特定手段と、
前記所定の被写体に関する前記第１の観点とは異なる第２の観点の特徴情報を用いて前記撮影画像内における画像領域を特定する第２の領域特定手段と、
前記所定の被写体に対応する画像領域を対象として前記所定の画像処理を実行する画像処理手段と、
前記画像処理手段により実行させる画像処理が前記所定の被写体に特有の第１の画像処理である場合に、前記第２の領域特定手段により特定された画像領域を対象として画像処理を実行させる制御手段と、
を備えたことを特徴とする撮像装置。
【請求項２】
前記制御手段は、前記第１の領域特定手段により前記所定の被写体に対応する画像領域を特定できなかった場合に、前記第２の領域特定手段により特定された画像領域を対象として前記画像処理手段に前記第１の画像処理を実行させる、
ことを特徴とする請求項１に記載の撮像装置。
【請求項３】
前記第２の領域特定手段は、前記第１の領域特定手段よりも、前記所定の被写体に対応する画像領域を特定する精度は低いが、前記第１の画像処理の対象となる画像領域を特定できる確率は高い、
ことを特徴とする請求項１または２に記載の撮像装置。
【請求項４】
前記制御手段は、前記画像処理手段により実行させる画像処理が第２の画像処理である場合に、前記第１の領域特定手段により特定された画像領域を対象として画像処理を実行させる、
ことを特徴とする請求項１乃至３の何れか１項に記載の撮像装置。
【請求項５】
前記所定の被写体が撮影範囲内に存在すべき状況であるか否かを、前記所定の被写体に関する特徴情報を用いずに判定する第１の判定手段と、を備え、
前記制御手段は、前記第１の判定手段により前記所定の被写体が撮影範囲内に存在すべき状況であると判定されたことを条件として、前記画像処理手段に対して、前記第１の領域特定手段により特定された画像領域を対象とした前記第１の画像処理を実行させる、
ことを特徴とする請求項１乃至３の何れか１項に記載の撮像装置。
【請求項６】
前記制御手段は、前記第１の領域特定手段により前記所定の被写体に対応する画像領域を特定できず、かつ、前記第１の判定手段により前記所定の被写体が撮影範囲内に存在すべき状況であると判定されたことを条件として、前記画像処理手段に対して、前記第１の領域特定手段により特定された画像領域を対象とした前記第１の画像処理を実行させる、
ことを特徴とする請求項５に記載の撮像装置。
【請求項７】
前記第１の領域特定手段は、前記所定の被写体が撮影範囲内に存在するか否かの判定と、前記画像処理手段が画像処理を実行する画像領域の特定の両方を行い、
前記第２の領域特定手段は、前記所定の被写体が撮影範囲内に存在するか否かの判定は行わずに、前記画像処理手段が画像処理を実行する画像領域の特定のみを行う、
ことを特徴とする請求項５に記載の撮像装置。
【請求項８】
前記第１の判定手段により前記所定の被写体が撮影範囲内に存在すべき状況であると判定されなかった場合には、前記第１の領域特定手段により前記所定の被写体が撮影範囲内に存在すると判定されたことを条件として、前記画像処理手段に対して、前記第１の領域特定手段により特定された画像領域を対象とした前記第１の画像処理を実行させる、
ことを特徴とする請求項５に記載の撮像装置。
【請求項９】
前記制御手段は、前記第１の領域特定手段または第２の領域特定手段による領域特定結果と、前記第１の判定手段による判定結果に応じて、前記画像処理手段による画像処理の実行を制御する、
ことを特徴とする請求項５に記載の撮像装置。
【請求項１０】
前記制御手段は、前記第１の判定手段による判定結果に応じて、前記画像処理手段による前記所定の被写体に特有の画像処理の対象となる画像領域の特定を、前記第１の領域特定手段と前記第２の領域特定手段のいずれで行うかを選択する、
ことを特徴とする請求項５に記載の撮像装置。
【請求項１１】
前記第１の観点の特徴情報は、前記所定の被写体の形状の特徴であり、
前記第２の観点の特徴情報は、前記所定の被写体の色の特徴であり、
前記第１の領域特定手段は、少なくとも前記所定の被写体の形状の特徴を用いて前記画像領域を特定し、
前記第２の領域特定手段は、前記所定の被写体の形状の特徴を用いずに前記画像領域を特定する、
ことを特徴とする請求項１乃至１０の何れか１項に記載の撮像装置。
【請求項１２】
前記第１の領域特定手段は、前記所定の被写体の形状の特徴と色の特徴の両方を用いて前記画像領域を特定し、
前記第２の領域特定手段は、前記所定の被写体の色の特徴のみを用いて前記画像領域を特定する、
ことを特徴とする請求項１１に記載の撮像装置。
【請求項１３】
前記所定の被写体は、人物であり、
前記第１の領域特定手段は、前記撮像手段により撮像された撮影画像内における人物の顔に対応する画像領域を、人物の顔の特徴情報を用いた顔検出処理により特定し、
前記第２の領域特定手段は、前記顔検出処理を行わずに、人物に特有の画像処理を実行する画像領域を特定する、
ことを特徴とする請求項１乃至１２の何れか１項に記載の撮像装置。
【請求項１４】
人物の顔が撮影範囲内に存在すべき状況であるか否かを、前記顔検出処理による顔の検出結果を用いずに判定する第２の判定手段を更に備える、
ことを特徴とする請求項１３に記載の撮像装置。
【請求項１５】
前記第２の領域特定手段は、前記顔検出処理を行わずに、人物の肌の色に対応する色を有する画像領域を、前記人物に特有の画像処理を実行する画像領域として特定する、
ことを特徴とする請求項１４に記載の撮像装置。
【請求項１６】
前記画像処理手段は、前記第１の画像処理として、人物の肌に対応する画像領域を対象として美肌または美白に係る画像処理を実行する、
ことを特徴とする請求項１５に記載の撮像装置。
【請求項１７】
前記画像処理手段は、前記第２の画像処理として、人物に対応する画像領域を対象として人物に撮影条件を合わせるための画像処理を実行する、
ことを特徴とする請求項４に記載の撮像装置。
【請求項１８】
前記第２の画像処理は、人物までの距離にフォーカスを合わせるための画像処理または人物の明るさに露出条件を合わせるための画像処理である、
ことを特徴とする請求項１７に記載の撮像装置。
【請求項１９】
撮像手段と、
前記撮像手段により撮像された撮影画像内における人物の肌部分に対応する画像領域を特定するための領域特定処理を実行する領域特定手段と、
前記領域特定手段により特定された画像領域を対象として美肌または美白に係る画像処理を実行する画像処理手段と、
撮影者である人物が撮影範囲内に存在すべき所定の状況であるか否かの判定に係る所定の判定情報を取得する取得手段と、
前記取得手段により取得した前記所定の判定情報に基づいて、撮影者である人物が撮影範囲内に存在すべき所定の状況であると判定される場合には、前記領域特定手段による人物の形状に係る特徴検出よりも、人物の色に係る特徴検出を優先した領域特定処理を実行するとともに、この領域特定処理により特定された画像領域に対して前記画像処理手段による美肌または美白に係る画像処理を実行するように制御する制御手段と、
を備えたことを特徴とする撮像装置。
【請求項２０】
撮像手段を備える撮像装置で実行される撮像制御方法であって、
前記撮像手段により撮像された撮影画像内における所定の被写体に対応する画像領域を、当該被写体に関する第１の観点の特徴情報を用いて特定する第１の領域特定ステップと、
前記所定の被写体に関する前記第１の観点とは異なる第２の観点の特徴情報を用いて前記撮影画像内における画像領域を特定する第２の領域特定ステップと、
前記所定の被写体に対応する画像領域を対象として前記所定の画像処理を実行する画像処理ステップと、
前記画像処理ステップにより実行させる画像処理が前記所定の被写体に特有の第１の画像処理である場合に、前記第２の領域特定ステップにより特定された画像領域を対象として画像処理を実行させる制御ステップと、
を含むことを特徴とする撮像制御方法。
【請求項２１】
撮像手段を備える撮像装置を制御するコンピュータを、
前記撮像手段により撮像された撮影画像内における所定の被写体に対応する画像領域を、当該被写体に関する第１の観点の特徴情報を用いて特定する第１の領域特定手段、
前記所定の被写体に関する前記第１の観点とは異なる第２の観点の特徴情報を用いて前記撮影画像内における画像領域を特定する第２の領域特定手段、
前記所定の被写体に対応する画像領域を対象として前記所定の画像処理を実行する画像処理手段、
前記画像処理手段により実行させる画像処理が前記所定の被写体に特有の第１の画像処理である場合に、前記第２の領域特定手段により特定された画像領域を対象として画像処理を実行させる制御手段、
として機能させることを特徴とするプログラム。
【請求項２２】
撮像手段を備える撮像装置で実行される撮像制御方法であって、
前記撮像手段により撮像された撮影画像内における人物の肌部分に対応する画像領域を特定するための領域特定処理を実行する領域特定ステップと、
前記領域特定ステップにより特定された画像領域を対象として美肌または美白に係る画像処理を実行する画像処理ステップと、
撮影者である人物が撮影範囲内に存在すべき所定の状況であるか否かの判定に係る所定の判定情報を取得する取得ステップと、
前記取得ステップにより取得した前記所定の判定情報に基づいて、撮影者である人物が撮影範囲内に存在すべき所定の状況であると判定される場合には、前記領域特定ステップによる人物の形状に係る特徴検出よりも、人物の色に係る特徴検出を優先した領域特定処理を実行するとともに、この領域特定処理により特定された画像領域に対して前記画像処理ステップによる美肌または美白に係る画像処理を実行するように制御する制御ステップと、
を含むことを特徴とする撮像制御方法。
【請求項２３】
撮像手段を備える撮像装置を制御するコンピュータを、
前記撮像手段により撮像された撮影画像内における人物の肌部分に対応する画像領域を特定するための領域特定処理を実行する領域特定手段、
前記領域特定手段により特定された画像領域を対象として美肌または美白に係る画像処理を実行する画像処理手段、
撮影者である人物が撮影範囲内に存在すべき所定の状況であるか否かの判定に係る所定の判定情報を取得する取得手段、
前記取得手段により取得した前記所定の判定情報に基づいて、撮影者である人物が撮影範囲内に存在すべき所定の状況であると判定される場合には、前記領域特定手段による人物の形状に係る特徴検出よりも、人物の色に係る特徴検出を優先した領域特定処理を実行するとともに、この領域特定処理により特定された画像領域に対して前記画像処理手段による美肌または美白に係る画像処理を実行するように制御する制御手段、
として機能させることを特徴とするプログラム。
【発明の詳細な説明】
【技術分野】
【０００１】
本発明は、撮像装置、撮像制御方法及びプログラムに関する。
【背景技術】
【０００２】
撮影画像内に検出される人物の顔部分に対して美肌／美白にするための画像処理を施す美顔機能を備えたカメラ（撮像装置）に関する技術が知られている（特許文献１及び２参照）。
【先行技術文献】
【特許文献】
【０００３】
【特許文献１】特開２０１１−５５０６６号公報
【特許文献２】特開２０１４−９６８３６号公報
【発明の概要】
【発明が解決しようとする課題】
【０００４】
しかしながら、上述したような特許文献１及び２に記載の技術では、撮影画像内に人物が存在するにもかかわらず、その人物の顔が検出できないような場合には美肌／美白にするための画像処理を施すことができない。また、人物の顔を対象とした美肌／美白処理に限らず、顔以外の肌部分に対する美肌／美白処理や、食べ物や風景などの人物以外の物体に対する本来の色を鮮明にするような特有の画像処理についても同様であり、撮影画像内に対象となる物体が存在するにもかかわらず、その物体が検出できない場合には、その物体に対して物体特有の画像処理を施すことができないという問題があった。
【０００５】
本発明は、このような状況に鑑みてなされたものであり、撮影画像内の物体に対する物体特有の画像処理の実行をより効果的に制御できるようにすることである。
ことを目的とする。
【課題を解決するための手段】
【０００６】
上記目的を達成するため、本発明の一態様の撮像装置は、
撮像手段と、
前記撮像手段により撮像された撮影画像内における所定の被写体に対応する画像領域を、当該被写体に関する第１の観点の特徴情報を用いて特定する第１の領域特定手段と、
前記所定の被写体に関する前記第１の観点とは異なる第２の観点の特徴情報を用いて前記撮影画像内における画像領域を特定する第２の領域特定手段と、
前記所定の被写体に対応する画像領域を対象として前記所定の画像処理を実行する画像処理手段と、
前記画像処理手段により実行させる画像処理が前記所定の被写体に特有の第１の画像処理である場合に、前記第２の領域特定手段により特定された画像領域を対象として画像処理を実行させる制御手段と、
を備えたことを特徴とする。
【発明の効果】
【０００７】
本発明によれば、撮影画像内の物体に対する物体特有の画像処理の実行をより効果的に制御することができる。
【図面の簡単な説明】
【０００８】
【図１】本発明の一実施形態に係る撮像装置のハードウェアの構成を示すブロック図である。
【図２】図１の撮像装置の機能的構成のうち、撮影処理を実行するための機能的構成を示す機能ブロック図である。
【図３】図２の機能的構成を有する図１の撮像装置が実行する撮影処理の流れを説明するフローチャートである。
【図４】第２の実施形態における図２の機能的構成を有する図１の撮像装置が実行する撮影処理の流れを説明するフローチャートである。
【発明を実施するための形態】
【０００９】
以下、本発明の実施形態について、図面を用いて説明する。
【００１０】
＜第１の実施形態＞
図１は、本発明の一実施形態に係る撮像装置のハードウェアの構成を示すブロック図である。
撮像装置１は、例えばデジタルカメラとして構成される。
【００１１】
撮像装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記録されているプログラム、又は、記憶部１９からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００１８】
入力部１７は、各種釦等で構成され、ユーザの指示操作に応じて各種情報を入力する。
出力部１８は、ディスプレイやスピーカ等で構成され、画像や音声を出力する。
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００１９】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２０】
図２は、このような撮像装置１の機能的構成のうち、撮影処理を実行するための機能的構成を示す機能ブロック図である。
撮影処理とは、撮像処理を実行したあとに美肌／美白処理を実行して撮像画像の人の顔に美肌／美白効果を付与する一連の処理をいう。
【００２１】
撮影処理を実行する場合には、図２に示すように、ＣＰＵ１１において、撮像制御部５１と、顔検出部５２と、処理対象領域特定部５３と、状況判定部５４と、美肌／美白処理部５５と、記憶制御部５６と、が機能する。
【００２２】
また、記憶部１９の一領域には、画像記憶部７１が設定される。
画像記憶部７１には、撮像画像のデータが記憶される。
【００２３】
撮像制御部５１は、撮像を行うように撮像部１６を制御する。その結果、撮像部１６から撮像画像が出力される。
【００２４】
顔検出部５２は、撮像部１６から取得した撮像画像を、撮影範囲に人物の顔が含まれているか否かを画像解析により検出する。顔検出部５２は、顔検出として、人物に対応する画像領域を対象として人物に撮影条件を合わせるための画像処理、即ち、人物までの距離にフォーカスを合わせるための画像処理または人物の明るさに露出条件を合わせるための画像処理を実行する。
【００２５】
処理対象領域特定部５３は、取得した撮像画像内における美肌／美白処理を施す処理対象となる領域（以下、「処理対象領域」という。）を特定する。
【００２６】
状況判定部５４は、撮影範囲に人物の顔が含まれるべき状況であるか否かを撮影画像の解析以外の方法で判断する。人物の顔が含まれるべき状況とは、撮像画像に人物の顔が含まれている蓋然性が高い状況であり、当該状況を撮像装置１の状況や撮像装置１を取り巻く周囲の環境等から推測する。人物の顔が含まれるべき状況は、例えば、自分撮りのモードを選択した場合である。
具体的には、状況判定部５４は、撮影範囲に人物の顔が含まれるべき状況として、例えば、自分撮りモードが設定されているか否かを判定する。状況判定部５４は、自分撮りモードが設定されている場合には、撮影範囲に人物の顔が含まれるべき状況であると判定し、自分撮りモードが設定されていない場合には、撮影範囲に人物の顔が含まれるべき状況でないと判定する。
【００２７】
美肌／美白処理部５５は、処理対象領域特定部５３によって特定された処理対象領域に対して美肌／美白処理を施す。美肌／美白処理は、肌が美しくみえたり、美しい白い肌になったりするような加工を施す処理であり、既存の周知の美肌／美白に関する画像処理技術を用いる。
【００２８】
記憶制御部５６は、撮像画像を記憶させるように画像記憶部７１を制御する。
【００２９】
図３は、図２の機能的構成を有する図１の撮像装置１が実行する撮影処理の流れを説明するフローチャートである。
撮影処理は、ユーザによる入力部１７への撮影処理開始の操作により開始される。
【００３０】
ステップＳ１１において、撮像制御部５１は、撮像処理する。撮像制御部５１は、撮像を行うように撮像部１６を制御する。撮像処理の結果、撮像部１６から撮像画像が出力される。
【００３１】
ステップＳ１２において、顔検出部５２は、撮影範囲に人物の顔が含まれているか否かを撮影画像の解析により検出する。
【００３２】
ステップＳ１３において、顔検出部５２は、人物の顔が検出されたか否かを判定する。
人物の顔が検出された場合には、ステップＳ１３においてＹＥＳと判定されて、処理はステップＳ１４に進む。
人物の顔が検出されない場合には、ステップＳ１３においてＮＯと判定されて、処理はステップＳ１５に進む。
【００３３】
ステップＳ１４において、処理対象領域特定部５３は、検出された人物の顔部分を処理対象領域として特定する。
【００３４】
ステップＳ１５において、状況判定部５４は、撮影範囲に人物の顔が含まれるべき状況であるか否かを撮影画像の解析以外の方法で判断する。状況判定部５４は、撮影範囲に人物の顔が含まれるべき状況として、例えば、自分撮りモードが設定されているか否かを判定する。状況判定部５４は、自分撮りモードが設定されている場合には、撮影範囲に人物の顔が含まれるべき状況であると判定し、自分撮りモードが設定されていない場合には、撮影範囲に人物の顔が含まれるべき状況でないと判定する。
【００３５】
ステップＳ１６において、状況判定部５４は、人物の顔が含まれるべき状況であるか否かを判定する。
人物の顔が含まれるべき状況である場合には、ステップＳ１６においてＹＥＳと判定されて、処理はステップＳ１７に進む。
人物の顔が含まれるべき状況でない場合には、ステップＳ１６においてＮＯと判定されて、処理はステップＳ１９に進む。
【００３６】
ステップＳ１７において、処理対象領域特定部５３は、撮影画像内の肌色に相当する部分を処理対象領域として特定する。
【００３７】
ステップＳ１８において、美肌／美白処理部５５は、特定された処理対象領域に対して美肌／美白処理を実行する。
【００３８】
ステップＳ１９において、記憶制御部５６は、撮影画像を画像記憶部７１に記録させる。
その後、撮影処理は終了する。
【００３９】
なお、上述した実施形態においては、人物の顔が検出され、かつ、人物の顔が含まれるべき状況である場合にのみ、美肌／美白処理を実行するように構成してもよい。
また、上述した実施形態においては、人物の顔の検出よりも、人物の顔が含まれるべき状況であるか否かを優先的に判断して美肌／美白処理を実行するように構成してもよい。
【００４０】
＜第２の実施形態＞
上述した実施形態では、人物の顔が検出された場合には顔部分に美肌／美白処理を実行するが、人物の顔が検出されなかった場合であっても、人物の顔が含まれるべき状況ならば、肌色部分に対して美肌／美白処理を実行するように構成したが、本実施形態では、人物の顔が検出された場合に顔部分に美肌／美白処理を実行する撮影モード（以下、「通常の撮影モード」という。）と、人物の顔が含まれるべき状況である場合に肌色部分に対して美肌／美白処理を実行する撮影モード（以下、「非顔検出判定モード」という。）と、を選択的に切り換えるように構成する。即ち、本実施形態では、非顔検出判定モード下において、撮影画像の画像解析以外の方法で判定するように構成する。
なお、第２の実施形態では、第１の実施形態と共通する事項についての説明は省略する。即ち、第２の実施形態では、撮像装置１におけるハードウェア構成及び機能構成が同一であるため説明を省略する。
【００４１】
図４は、第２の実施形態における図２の機能的構成を有する図１の撮像装置１が実行する撮影処理の流れを説明するフローチャートである。
撮影処理は、ユーザによる入力部１７への撮影処理開始の操作により開始される。
【００４２】
ステップＳ３１において、撮像制御部５１は、撮像処理を実行する。撮像制御部５１は、撮像を行うように撮像部１６を制御する。撮像処理の結果、撮像部１６から撮像画像が出力される。
【００４３】
ステップＳ３２において、撮像制御部５１は、美肌／美白処理が禁止されているか否かを判定する。
美肌／美白処理が禁止されている場合には、ステップＳ３２においてＹＥＳと判定されて、処理はステップＳ４１に進む。
美肌／美白処理が禁止されていない場合には、ステップＳ３２においてＮＯと判定されて、処理はステップＳ３３に進む。
【００４４】
ステップＳ３３において、撮像制御部５１は、非顔検出判定モードか否かを判定する。
非顔検出判定モードである場合には、ステップＳ３３においてＹＥＳと判定されて、処理はステップＳ３４に進む。
非顔検出判定モードでない場合には、ステップＳ３３においてＮＯと判定されて、処理はステップＳ３７に進む。
【００４５】
ステップＳ３４において、状況判定部５４は、撮影範囲に人物の顔が含まれるべき状況であるか否かを撮影画像の解析以外の方法で判定する。状況判定部５４は、撮影範囲に人物の顔が含まれるべき状況として、例えば、自分撮りモードが設定されているか否かを判定する。状況判定部５４は、自分撮りモードが設定されている場合には、撮影範囲に人物の顔が含まれるべき状況であると判定し、自分撮りモードが設定されていない場合には、撮影範囲に人物の顔が含まれるべき状況でないと判定する。
【００４６】
ステップＳ３５において、状況判定部５４は、人物の顔が含まれるべき状況であるか否かを判定する。
人物の顔が含まれるべき状況である場合には、ステップＳ３５においてＹＥＳと判定されて、処理はステップＳ３６に進む。
人物の顔が含まれるべき状況でない場合には、ステップＳ３５においてＮＯと判定されて、処理はステップＳ４１に進む。
【００４７】
ステップＳ３６において、処理対象領域特定部５３は、撮影画像内の肌色に相当する部分を処理対象領域として特定する。
【００４８】
ステップＳ３７において、顔検出部５２は、撮影範囲に人物の顔が含まれているか否かを撮影画像の解析により検出する。
【００４９】
ステップＳ３８において、顔検出部５２は、人物の顔が検出されたか否かを判定する。
人物の顔が検出された場合には、ステップＳ３８においてＹＥＳと判定されて、処理はステップＳ３９に進む。
人物の顔が検出されない場合には、ステップＳ３８においてＮＯと判定されて、処理はステップＳ４１に進む。
【００５０】
ステップＳ３９において、処理対象領域特定部５３は、検出された人物の顔部分を処理対象領域として特定する。
ステップＳ４０において、美肌／美白処理部５５は、特定された処理対象領域に対して美肌／美白処理を実行する。
【００５１】
ステップＳ４１において、記憶制御部５６は、撮影画像を画像記憶部７１に記録させる。
その後、撮影処理は終了する。
【００５２】
したがって、従来の美肌や美白の処理を実施することを特徴とする撮像装置においては、顔を検出することができない場合は美肌や美白処理がスキップされるため、顔検出性能によって美肌や美白がかったりかからなかったりしていたが、例えば、メガネや髪が目にかっていて顔検出が外れやすい場合等の状況も含めて、顔検出できてもできなくても、美肌や美白などの肌に対する処理を実施するので、常に美肌と美白などの肌に対する処理が施された撮像画像を記録（撮影）することができる。
【００５３】
以上のように構成される撮像装置１は、撮像部１６と、顔検出部５２と、処理対象領域特定部５３と、美肌／美白処理部５５と、を備える。
顔検出部５２は、撮像部１６により撮像された撮影画像内における所定の被写体に対応する画像領域を、当該被写体に関する第１の観点の特徴情報を用いて特定する。
処理対象領域特定部５３は、所定の被写体に関する第１の観点とは異なる第２の観点の特徴情報を用いて撮影画像内における画像領域を特定する。
美肌／美白処理部５５は、所定の被写体に対応する画像領域を対象として所定の被写体に特有の画像処理を実行する。
また、美肌／美白処理部５５は、画像処理が所定の被写体に特有の第１の画像処理である場合に、処理対象領域特定部５３により特定された画像領域を対象として画像処理を実行する。
これにより、撮像装置１においては、画像処理が所定の被写体に特有の第１の画像処理である場合に、処理対象領域特定部５３により特定された画像領域を対象として画像処理を実行するため、撮影画像内の物体に対する物体特有の画像処理の実行をより効果的に制御することができる。
【００５４】
また、撮像装置１は、第１の観点の特徴情報を用いて特定する顔検出部５２と、を備える。
美肌／美白処理部５５は、顔検出部５２により所定の被写体に対応する画像領域を特定できなかった場合に、処理対象領域特定部５３により特定された画像領域を対象として前記画像処理手段に第１の画像処理を実行する。
これにより、撮像装置１においては、顔検出部５２により所定の被写体に対応する画像領域を特定できなかった場合でも、処理対象領域特定部５３により特定された画像領域を対象として所定の被写体に特有の画像処理を実行するために、撮影画像内の物体に対する物体特有の画像処理の実行をより効果的に制御することができる。
【００５５】
第２の観点は、第１の観点よりも、所定の被写体に対応する画像領域を特定する精度は低いが、第１の画像処理の対象となる画像領域を特定できる確率は高い。
これにより、撮像装置１においては、画像領域の精度を高めることができ、撮影画像内の物体に対する物体特有の画像処理の実行をより効果的に制御することができる。
【００５６】
また、美肌／美白処理部５５は、実行する画像処理が第２の画像処理である場合に、顔検出部５２により特定された画像領域を対象として画像処理を実行する。
これにより、撮像装置１においては、顔検出を利用して、画像領域を特定することができる。
【００５７】
また、撮像装置１は、所定の被写体が撮影範囲内に存在すべき状況であるか否かを、所定の被写体に関する特徴情報を用いずに判定する状況判定部５４と、を備える。
美肌／美白処理部５５は、状況判定部５４により所定の被写体が撮影範囲内に存在すべき状況であると判定されたことを条件として、顔検出部５２により特定された画像領域を対象とした所定の被写体に特有の画像処理を実行する。
これにより、撮像装置１においては、撮影画像内の物体に対する物体特有の画像処理の実行をより効果的に制御することができる。
【００５８】
美肌／美白処理部５５は、顔検出部５２により所定の被写体に対応する画像領域を特定できず、かつ、状況判定部５４により所定の被写体が撮影範囲内に存在すべき状況であると判定されたことを条件として、顔検出部５２により特定された画像領域を対象とした第１の画像処理を実行する。
これにより、撮像装置１においては、撮影画像内の物体に対する物体特有の画像処理の実行をより効果的に制御することができる。
【００５９】
顔検出部５２は、所定の被写体が撮影範囲内に存在するか否かの判定と、所定の被写体に特有の画像処理を実行する画像領域の特定の両方を行う。
処理対象領域特定部５３は、所定の被写体が撮影範囲内に存在するか否かの判定は行わずに、所定の被写体に特有の画像処理を実行する画像領域の特定のみを行う。
これにより、撮像装置１においては、より確実に画像領域の特定を行うことができ、撮影画像内の物体に対する物体特有の画像処理の実行をより効果的に制御することができる。
【００６０】
状況判定部５４により所定の被写体が撮影範囲内に存在すべき状況であると判定されなかった場合には、顔検出部５２により所定の被写体が撮影範囲内に存在すると判定されたことを条件として、美肌／美白処理部５５に対して、顔検出部５２により特定された画像領域を対象とした所定の被写体に特有の画像処理を実行させる。
これにより、撮像装置１においては、より効率的に、撮影画像内の物体に対する物体特有の画像処理の実行をより効果的に制御することができる。
【００６１】
美肌／美白処理部５５は、顔検出部５２または処理対象領域特定部５３による領域特定結果と、状況判定部５４により判定結果に応じて、画像処理を実行する。
これにより、撮像装置１においては、より効率的に、撮影画像内の物体に対する物体特有の画像処理の実行をより効果的に制御することができる。
【００６２】
美肌／美白処理部５５は、状況判定部５４による判定結果に応じて、所定の被写体に特有の画像処理の対象となる画像領域の特定を、処理対象領域特定部５３と顔検出部５２のいずれで行うかを選択する。
これにより、撮像装置１においては、より効率的に、撮影画像内の物体に対する物体特有の画像処理の実行をより効果的に制御することができる。
【００６３】
また、撮像装置１では、第１の観点の特徴情報は、所定の被写体の形状の特徴であり、第２の観点の特徴情報は、所定の被写体の色の特徴である。
顔検出部５２は、少なくとも所定の被写体の形状の特徴を用いて画像領域を特定する。
処理対象領域特定部５３は、所定の被写体の形状の特徴を用いずに画像領域を特定する。
これにより、撮像装置１においては、異なる観点で画像領域を特定するために、より確実に、撮影画像内の物体に対する物体特有の画像処理の実行をより効果的に制御することができる。
【００６４】
顔検出部５２は、所定の被写体の形状の特徴と色の特徴の両方を用いて画像領域を特定する。
処理対象領域特定部５３は、所定の被写体の色の特徴のみを用いて画像領域を特定する。
これにより、撮像装置１においては、より確実に、撮影画像内の物体に対する物体特有の画像処理の実行をより効果的に制御することができる。
【００６５】
また、撮像装置１では、所定の被写体は、人物である。
顔検出部５２は、撮像部１６により撮像された撮影画像内における人物の顔に対応する画像領域を、人物の顔の特徴情報を用いた顔検出処理により特定する。
処理対象領域特定部５３は、顔検出処理を行わずに、人物に特有の画像処理を実行する画像領域を特定する。
これにより、撮像装置１においては、人物の顔に対応する画像領域を、顔検出処理により特定ことができ、撮影画像内の人物に対する物体特有の画像処理の実行をより効果的に制御することができる。
【００６６】
処理対象領域特定部５３は、人物の顔が撮影範囲内に存在すべき状況であるか否かを、顔検出処理による顔の検出結果を用いずに判定する。
これにより、撮像装置１においては、顔検出処理による顔の検出結果を用いずに判定するため、撮影画像内の人物に対する物体特有の画像処理の実行をより効果的に制御することができる。
【００６７】
状況判定部５４は、顔検出処理を行わずに、人物の肌の色に対応する色を有する画像領域を、人物に特有の画像処理を実行する画像領域として特定する。
これにより、撮像装置１においては、人物の肌の色に対応する色を有する画像領域を、人物に特有の画像処理を実行する画像領域として特定するために、撮影画像内の人物の肌に対する物体特有の画像処理の実行をより効果的に制御することができる。
【００６８】
美肌／美白処理部５５は、第１の画像処理として、人物の肌に対応する画像領域を対象として美肌または美白に係る画像処理を実行する。
これにより、撮像装置１においては、撮影画像内の人物に対する物体特有の肌の色（美肌または美白）の画像処理の実行をより効果的に制御することができる。
【００６９】
美肌／美白処理部５５は、第２の画像処理として、人物に対応する画像領域を対象として人物に撮影条件を合わせるための画像処理を実行する。
これにより、撮像装置１においては、人物に対応する画像領域を対象として人物に撮影条件を合わせるための画像処理を用いることができ、撮影画像内の人物に対する物体特有の肌の色（美肌または美白）の画像処理の実行をより効果的に制御することができる。
【００７０】
第２の画像処理は、人物までの距離にフォーカスを合わせるための画像処理または人物の明るさに露出条件を合わせるための画像処理である。
これにより、撮像装置１においては、人物までの距離にフォーカスを合わせるための画像処理または人物の明るさに露出条件を合わせるための従来の顔検出技術による画像処理を用いることができ、撮影画像内の人物に対する物体特有の肌の色（美肌または美白）の画像処理の実行をより効果的に制御することができる。
【００７１】
以上のように構成される撮像装置１は、撮像部１６と、顔検出部５２と、美肌／美白処理部５５と、状況判定部５４と、を備える。
顔検出部５２は、撮像部１６により撮像された撮影画像内における人物の肌部分に対応する画像領域を特定するための領域特定処理を実行する。
美肌／美白処理部５５は、顔検出部５２により特定された画像領域を対象として美肌または美白に係る画像処理を実行する。
状況判定部５４は、撮影者である人物が撮影範囲内に存在すべき所定の状況であるか否かの判定に係る所定の判定情報を取得する。
美肌／美白処理部５５は、状況判定部５４により取得した所定の判定情報に基づいて、撮影者である人物が撮影範囲内に存在すべき所定の状況であると判定される場合には、領域特定手段による人物の形状に係る特徴検出よりも、人物の色に係る特徴検出を優先した領域特定処理を実行するとともに、この領域特定処理により特定された画像領域に対して美肌または美白に係る画像処理を実行するように制御する。
これにより、撮像装置１においては、状況判定部５４により取得した所定の判定情報に基づいて、撮影者である人物が撮影範囲内に存在すべき所定の状況であると判定される場合には、領域特定手段による人物の形状に係る特徴検出よりも、人物の色に係る特徴検出を優先した領域特定処理を実行するために、撮影画像内の物体に対する物体特有の画像処理の実行をより効果的に制御することができる。
【００７２】
なお、本発明は、上述の実施形態に限定されるものではなく、本発明の目的を達成できる範囲での変形、改良等は本発明に含まれるものである。
【００７３】
上述の実施形態では、単一の撮像部１６を備えるように構成して、自分撮りを行う状況（本実施形態においては、自分撮りモードに設定）になった状況を判定するように構成したが、例えば、撮像装置１を自分撮り用の撮像部と、それ以外の撮像部を備えるように構成して、自分撮り用の撮像部に切り替えた場合や、撮像装置１において撮像部とモニターのいずれか／もしくは両方の角度や向きを可変可能に構成した場合において、自分撮りができると思われる位置関係になった場合の状況を判定するように構成してもよい。
【００７４】
また、上述した実施形態では、人の顔が含まれるべき状況として、自分撮りを行うような状況を説明したが、これに限られない。例えば、撮影の直近の状態でライブビュー画像等において顔が検出されていたような場合に、撮影時には顔が検出されなかったとしても顔が含まれている可能性が高いために、人の顔が含まれるべき状況としてもよい。また、顔は、髪領域に隣接しているため、例えば、肌色領域と、肌色領域に隣接して黒や茶等の髪領域との関係性を判定して、人の顔が含まれるべき状況としてもよい。また、顔検出の結果、顔検出の基準には満たさないが、基準に近いもの、例えば、顔パーツが基準にそぐわない等の場合に、人の顔が含まれるべき状況としてもよい。具体的には、第２の観点を精度の低い顔検出とした場合は、第１の観点を精度の高い顔検出とした場合よりも、所定の被写体に対応する画像領域を特定する精度は低いが、第１の画像処理の対象となる画像領域を特定できる確率は高いものとして構成することができる。
【００７５】
また、上述した実施形態では、顔の肌の色を好適な状態にする表面の質感を変える美肌／美しいとされる白い肌の色にする美白処理を行ったが、例えば、肌に限らない対象を好適な状態にする処理を施すようにしてもよい。
【００７６】
また、上述した実施形態では、顔検出機能の無い撮像装置に、顔検出の機能の代替機能として搭載するように構成してもよい。
【００７７】
また、上述した実施形態では、人の顔の肌に対して、美肌／美白処理を施すように構成したが、人の肌でもよく、また、口等でもよい。また、対象は、人に限らず、被写体そのものを撮影画像の色をそのままではなく美しく見せたり鮮やかに見せたりするような処理を施すように構成してもよい。具体的には、リンゴ（リンゴの鮮やかな赤色を、表面をなめらかに、光沢感のツヤ）や山（鮮やかな緑）でもよい。この場合、対象となる被写体が含まれるべき状況をモードや指示等を判定して行う。
【００７８】
また、上述の実施形態では、本発明が適用される撮像装置１は、デジタルカメラを例として説明したが、特にこれに限定されない。
例えば、本発明は、撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００７９】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００８０】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８１】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【００８２】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００８３】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００８４】
以下に、本願の出願当初の特許請求の範囲に記載された発明を付記する。
［付記１］
撮像手段と、
前記撮像手段により撮像された撮影画像内における所定の被写体に対応する画像領域を、当該被写体に関する第１の観点の特徴情報を用いて特定する第１の領域特定手段と、
前記所定の被写体に関する前記第１の観点とは異なる第２の観点の特徴情報を用いて前記撮影画像内における画像領域を特定する第２の領域特定手段と、
前記所定の被写体に対応する画像領域を対象として前記所定の画像処理を実行する画像処理手段と、
前記画像処理手段により実行させる画像処理が前記所定の被写体に特有の第１の画像処理である場合に、前記第２の領域特定手段により特定された画像領域を対象として画像処理を実行させる制御手段と、
を備えたことを特徴とする撮像装置。
［付記２］
前記制御手段は、前記第１の領域特定手段により前記所定の被写体に対応する画像領域を特定できなかった場合に、前記第２の領域特定手段により特定された画像領域を対象として前記画像処理手段に前記第１の画像処理を実行させる、
ことを特徴とする付記１に記載の撮像装置。
［付記３］
前記第２の領域特定手段は、前記第１の領域特定手段よりも、前記所定の被写体に対応する画像領域を特定する精度は低いが、前記第１の画像処理の対象となる画像領域を特定できる確率は高い、
ことを特徴とする付記１または２に記載の撮像装置。
［付記４］
前記制御手段は、前記画像処理手段により実行させる画像処理が第２の画像処理である場合に、前記第１の領域特定手段により特定された画像領域を対象として画像処理を実行させる、
ことを特徴とする付記１乃至３の何れか１つに記載の撮像装置。
［付記５］
前記所定の被写体が撮影範囲内に存在すべき状況であるか否かを、前記所定の被写体に関する特徴情報を用いずに判定する第１の判定手段と、を備え、
前記制御手段は、前記第１の判定手段により前記所定の被写体が撮影範囲内に存在すべき状況であると判定されたことを条件として、前記画像処理手段に対して、前記第１の領域特定手段により特定された画像領域を対象とした前記第１の画像処理を実行させる、
ことを特徴とする付記１乃至３の何れか１つに記載の撮像装置。
［付記６］
前記制御手段は、前記第１の領域特定手段により前記所定の被写体に対応する画像領域を特定できず、かつ、前記第１の判定手段により前記所定の被写体が撮影範囲内に存在すべき状況であると判定されたことを条件として、前記画像処理手段に対して、前記第１の領域特定手段により特定された画像領域を対象とした前記第１の画像処理を実行させる、
ことを特徴とする付記５に記載の撮像装置。
［付記７］
前記第１の領域特定手段は、前記所定の被写体が撮影範囲内に存在するか否かの判定と、前記画像処理手段が画像処理を実行する画像領域の特定の両方を行い、
前記第２の領域特定手段は、前記所定の被写体が撮影範囲内に存在するか否かの判定は行わずに、前記画像処理手段が画像処理を実行する画像領域の特定のみを行う、
ことを特徴とする付記５に記載の撮像装置。
［付記８］
前記第１の判定手段により前記所定の被写体が撮影範囲内に存在すべき状況であると判定されなかった場合には、前記第１の領域特定手段により前記所定の被写体が撮影範囲内に存在すると判定されたことを条件として、前記画像処理手段に対して、前記第１の領域特定手段により特定された画像領域を対象とした前記第１の画像処理を実行させる、
ことを特徴とする付記５に記載の撮像装置。
［付記９］
前記制御手段は、前記第１の領域特定手段または第２の領域特定手段による領域特定結果と、前記第１の判定手段による判定結果に応じて、前記画像処理手段による画像処理の実行を制御する、
ことを特徴とする付記５に記載の撮像装置。
［付記１０］
前記制御手段は、前記第１の判定手段による判定結果に応じて、前記画像処理手段による前記所定の被写体に特有の画像処理の対象となる画像領域の特定を、前記第１の領域特定手段と前記第２の領域特定手段のいずれで行うかを選択する、
ことを特徴とする付記５に記載の撮像装置。
［付記１１］
前記第１の観点の特徴情報は、前記所定の被写体の形状の特徴であり、
前記第２の観点の特徴情報は、前記所定の被写体の色の特徴であり、
前記第１の領域特定手段は、少なくとも前記所定の被写体の形状の特徴を用いて前記画像領域を特定し、
前記第２の領域特定手段は、前記所定の被写体の形状の特徴を用いずに前記画像領域を特定する、
ことを特徴とする付記１乃至１０の何れか１つに記載の撮像装置。
［付記１２］
前記第１の領域特定手段は、前記所定の被写体の形状の特徴と色の特徴の両方を用いて前記画像領域を特定し、
前記第２の領域特定手段は、前記所定の被写体の色の特徴のみを用いて前記画像領域を特定する、
ことを特徴とする付記１１に記載の撮像装置。
［付記１３］
前記所定の被写体は、人物であり、
前記第１の領域特定手段は、前記撮像手段により撮像された撮影画像内における人物の顔に対応する画像領域を、人物の顔の特徴情報を用いた顔検出処理により特定し、
前記第２の領域特定手段は、前記顔検出処理を行わずに、人物に特有の画像処理を実行する画像領域を特定する、
ことを特徴とする付記１乃至１２の何れか１つに記載の撮像装置。
［付記１４］
人物の顔が撮影範囲内に存在すべき状況であるか否かを、前記顔検出処理による顔の検出結果を用いずに判定する第２の判定手段を更に備える、
ことを特徴とする付記１３に記載の撮像装置。
［付記１５］
前記第２の領域特定手段は、前記顔検出処理を行わずに、人物の肌の色に対応する色を有する画像領域を、前記人物に特有の画像処理を実行する画像領域として特定する、
ことを特徴とする付記１４に記載の撮像装置。
［付記１６］
前記画像処理手段は、前記第１の画像処理として、人物の肌に対応する画像領域を対象として美肌または美白に係る画像処理を実行する、
ことを特徴とする付記１５に記載の撮像装置。
［付記１７］
前記画像処理手段は、第２の画像処理として、人物に対応する画像領域を対象として人物に撮影条件を合わせるための画像処理を実行する、
ことを特徴とする付記４に記載の撮像装置。
［付記１８］
前記第２の画像処理は、人物までの距離にフォーカスを合わせるための画像処理または人物の明るさに露出条件を合わせるための画像処理である、
ことを特徴とする付記１７に記載の撮像装置。
［付記１９］
撮像手段と、
前記撮像手段により撮像された撮影画像内における人物の肌部分に対応する画像領域を特定するための領域特定処理を実行する領域特定手段と、
前記領域特定手段により特定された画像領域を対象として美肌または美白に係る画像処理を実行する画像処理手段と、
撮影者である人物が撮影範囲内に存在すべき所定の状況であるか否かの判定に係る所定の判定情報を取得する取得手段と、
前記取得手段により取得した前記所定の判定情報に基づいて、撮影者である人物が撮影範囲内に存在すべき所定の状況であると判定される場合には、前記領域特定手段による人物の形状に係る特徴検出よりも、人物の色に係る特徴検出を優先した領域特定処理を実行するとともに、この領域特定処理により特定された画像領域に対して前記画像処理手段による美肌または美白に係る画像処理を実行するように制御する制御手段と、
を備えたことを特徴とする撮像装置。
［付記２０］
撮像手段を備える撮像装置で実行される撮像制御方法であって、
前記撮像手段により撮像された撮影画像内における所定の被写体に対応する画像領域を、当該被写体に関する第１の観点の特徴情報を用いて特定する第１の領域特定ステップと、
前記所定の被写体に関する前記第１の観点とは異なる第２の観点の特徴情報を用いて前記撮影画像内における画像領域を特定する第２の領域特定ステップと、
前記所定の被写体に対応する画像領域を対象として前記所定の画像処理を実行する画像処理ステップと、
前記画像処理ステップにより実行させる画像処理が前記所定の被写体に特有の第１の画像処理である場合に、前記第２の領域特定ステップにより特定された画像領域を対象として画像処理を実行させる制御ステップと、
を含むことを特徴とする撮像制御方法。
［付記２１］
撮像手段を備える撮像装置を制御するコンピュータを、
前記撮像手段により撮像された撮影画像内における所定の被写体に対応する画像領域を、当該被写体に関する第１の観点の特徴情報を用いて特定する第１の領域特定手段、
前記所定の被写体に関する前記第１の観点とは異なる第２の観点の特徴情報を用いて前記撮影画像内における画像領域を特定する第２の領域特定手段、
前記所定の被写体に対応する画像領域を対象として前記所定の画像処理を実行する画像処理手段、
前記画像処理手段により実行させる画像処理が前記所定の被写体に特有の第１の画像処理である場合に、前記第２の領域特定手段により特定された画像領域を対象として画像処理を実行させる制御手段、
として機能させることを特徴とするプログラム。
［付記２２］
撮像手段を備える撮像装置で実行される撮像制御方法であって、
前記撮像手段により撮像された撮影画像内における人物の肌部分に対応する画像領域を特定するための領域特定処理を実行する領域特定ステップと、
前記領域特定ステップにより特定された画像領域を対象として美肌または美白に係る画像処理を実行する画像処理ステップと、
撮影者である人物が撮影範囲内に存在すべき所定の状況であるか否かの判定に係る所定の判定情報を取得する取得ステップと、
前記取得ステップにより取得した前記所定の判定情報に基づいて、撮影者である人物が撮影範囲内に存在すべき所定の状況であると判定される場合には、前記領域特定ステップによる人物の形状に係る特徴検出よりも、人物の色に係る特徴検出を優先した領域特定処理を実行するとともに、この領域特定処理により特定された画像領域に対して前記画像処理ステップによる美肌または美白に係る画像処理を実行するように制御する制御ステップと、
を含むことを特徴とする撮像制御方法。
［付記２３］
撮像手段を備える撮像装置を制御するコンピュータを、
前記撮像手段により撮像された撮影画像内における人物の肌部分に対応する画像領域を特定するための領域特定処理を実行する領域特定手段、
前記領域特定手段により特定された画像領域を対象として美肌または美白に係る画像処理を実行する画像処理手段、
撮影者である人物が撮影範囲内に存在すべき所定の状況であるか否かの判定に係る所定の判定情報を取得する取得手段、
前記取得手段により取得した前記所定の判定情報に基づいて、撮影者である人物が撮影範囲内に存在すべき所定の状況であると判定される場合には、前記領域特定手段による人物の形状に係る特徴検出よりも、人物の色に係る特徴検出を優先した領域特定処理を実行するとともに、この領域特定処理により特定された画像領域に対して前記画像処理手段による美肌または美白に係る画像処理を実行するように制御する制御手段、
として機能させることを特徴とするプログラム。
【符号の説明】
【００８５】
１・・・撮像装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・撮像制御部，５２・・・顔検出部５２・・・処理対象領域特定部，５４・・・状況判定部，５５・・・美肌／美白処理部，５６・・・記憶制御部，７１・・・画像記憶部
【図１】
2016127431.tif 000003
【図２】
2016127431.tif 000004
【図３】
2016127431.tif 000005
【図４】
2016127431.tif 000006